(57)【要約】【課題】物体に着脱自在に取り付けられ、アンテナ本体と固定モジュールとを含むアンテナ装置を提供する。【解決手段】アンテナ本体は表面を有する。当該表面には第１の連結部が形成されている。固定モジュールは第２の連結部と固定部とを含む。第２の連結部は第１の連結部と連結することができる。固定部は可撓性があり、変形可能である。アンテナ装置を物体に取り付けられるように、物体を入れるための空間が上記表面と固定部との間に形成される。【選択図】図３Ａ
2010045756.tif 000002
【特許請求の範囲】
【請求項１】
物体に着脱自在に取り付けられるアンテナ装置であって、
第１の連結部が形成されている表面を有するアンテナ本体と、
第２の連結部と固定部とを備えた固定モジュールと、を備え、
前記第２の連結部は前記第１の連結部と連結可能であり、前記固定部は可撓性があって
変形可能であり、前記表面と前記固定部との間に前記物体を入れるための空間が形成され
ることを特徴とするアンテナ装置。
【請求項２】
前記固定モジュールの前記固定部は、
変形可能であり、一端が前記第２の連結部に結合された第１の可撓部と、
変形可能であり、一端が前記第２の連結部に結合された第２の可撓部と、
前記第１の可撓部の他端に結合された第１のポストと、
前記第２の可撓部の他端に結合された第２のポストと、を備え、
前記第１の可撓部及び前記第２の可撓部は、前記第１又は第２のポストと前記アンテナ
本体の前記表面との間隔を調整できるように変形可能であり、且つ、前記第１及び第２の
可撓部は弾力性を有し、当該第１及び第２の可撓部が弾性的に変形から回復する傾向によ
って前記第１及び第２のポストが前記物体に密着することを特徴とする請求項１に記載の
アンテナ装置。
【請求項３】
前記固定モジュールの前記固定部は、
湾曲形状を有し、変形可能であり、一端が前記第２の連結部に結合されている、第１の
可撓部と、
前記第１の可撓部の他端とつながっている固定板と、を備え、
前記第１の可撓部は、前記固定板と前記アンテナ本体の前記表面との間隔を調整できる
ように変形可能であり、且つ、前記第１の可撓部は弾力性を有し、当該第１の可撓部が弾
性的に変形から回復する傾向によって前記固定板が前記物体に密着することを特徴とする
請求項１に記載のアンテナ装置。
【請求項４】
前記物体はＬＣＤ画面であり、前記固定部は、該固定部と前記アンテナ本体の前記表面
との間隔を前記ＬＣＤ画面の厚みに適合するように調整するために変形可能であることを
特徴とする請求項１に記載のアンテナ装置。
【請求項５】
物体に着脱自在に取り付けられるアンテナ装置であって、
アンテナ本体と、
吊り下げスタンドと固定部とを備える固定モジュールと、を備え、
前記吊り下げスタンドは前記アンテナ本体を入れるための受け部を有し、前記固定部は
可撓性があって変形可能であり、前記吊り下げスタンドと前記固定部との間に前記物体を
入れるための空間が形成されることを特徴とするアンテナ装置。
【請求項６】
前記固定モジュールの前記固定部は、
変形可能であり、一端が前記吊り下げスタンドに結合された第１の可撓部と、
変形可能であり、一端が前記吊り下げスタンドに結合された第２の可撓部と、
前記第１の可撓部の他端に結合された第１のポストと、
前記第２の可撓部の他端に結合された第２のポストと、を備え、
前記第１の可撓部及び前記第２の可撓部は、前記第１又は第２のポストと前記吊り下げ
スタンドとの間隔を調整できるように変形可能であり、且つ、前記第１及び第２の可撓部
は弾力性を有し、当該第１及び第２の可撓部が弾性的に変形から回復する傾向によって前
記第１及び第２のポストが前記物体に密着することを特徴とする請求項５に記載のアンテ
ナ装置。
【請求項７】
前記固定モジュールの前記固定部は、
湾曲形状を有し、変形可能であり、一端が前記吊り下げスタンドに結合されている、第
１の可撓部と、
前記第１の可撓部の他端とつながっている固定板と、を備え、
前記第１の可撓部は、前記固定板と前記吊り下げスタンドとの間隔を調整できるように
変形可能であり、且つ、前記第１の可撓部は弾力性を有し、当該第１の可撓部が弾性的に
変形から回復する傾向によって前記固定板が前記物体に密着することを特徴とする請求項
５に記載のアンテナ装置。
【請求項８】
前記物体はＬＣＤ画面であり、前記固定部は、該固定部と前記吊り下げスタンドとの間
隔を前記ＬＣＤ画面の厚みに適合するように調整するために変形可能であることを特徴と
する請求項５に記載のアンテナ装置。
【請求項９】
配置面に固定されるアンテナ装置であって、
底部に窪みが形成されたアンテナ本体と、
連結部と固定部とを備えた固定モジュールと、を備え、
前記連結部は２つの保持側壁と突起とを備え、該突起は前記窪みと嵌合し、前記アンテ
ナ本体は前記２つの保持側壁で囲まれ、前記固定部は、前記配置面に固定されるために変
形可能な可撓性の吸着盤を有することを特徴とするアンテナ装置。
【請求項１０】
前記アンテナ本体は、
第１の側面と、
第２の側面と、
前記アンテナ本体の前記第１の側面及び前記第２の側面にそれぞれ枢動可能に取り付け
られた第１のアンテナ部及び第２のアンテナ部を備えるアンテナモジュールと、を備える
ことを特徴とする請求項９に記載のアンテナ装置。
【発明の詳細な説明】
【技術分野】
【０００１】
本発明はアンテナ装置に関するものであり、特に、アンテナ装置を物体に取り付けたり
配置面に固定したりするために、変形可能な固定部を有するアンテナ装置に関する。
【背景技術】
【０００２】
今日では、コンピュータの驚くべき能力により、多くの電気器具がコンピュータととも
に広く利用されている。例えば、ケーブルテレビやワイヤレステレビに表示されるテレビ
番組をパソコンに伝送して再生することができる。通常、テレビから発せられるテレビ信
号は、ＴＶボックスをコンピュータに外部的に配線することにより、又は、ＴＶチューナ
カードをコンピュータに差し込むことにより、パソコンに伝送される。このように、テレ
ビ番組は有線又は無線伝送方式によりパソコンに表示することができ、パソコンはテレビ
の役割を果たすという拡張機能を有することとなる。モバイルコンピューティング技術産
業の発展に伴い、ノート型コンピュータや小型液晶ディスプレイといった様々な携帯用電
子機器は、多くの場合において利用に適しているという理由で、必要不可欠な電気製品と
なっている。例えば、ノート型コンピュータでテレビ番組を視聴する機能を実現するには
、ノート型コンピュータに外付け又は内蔵されたＴＶチューナカードのアンテナ装置によ
って、無線テレビ信号（ＲＦ信号等）を受信することができる。
【０００３】
図１は、ノート型コンピュータ１０、ＴＶチューナカード１２、及びアンテナ装置１３
間の接続を示す概略斜視図である。ＴＶチューナカード１２は、例えば、カードバスイン
タフェースカード、高速伝送インタフェースカード（エクスプレスカード）、ＵＳＢ拡張
カード等である。図１に示されるように、ノート型コンピュータ１０は、ＴＶチューナカ
ード１２と連結される伝送インタフェース１１を有している。ＴＶチューナカード１２が
伝送インタフェース１１に連結されると、ノート型コンピュータ１０の機能が拡張される
。ＴＶチューナカード１２がアンテナ装置１３に接続されると、アンテナ装置１３によっ
て受信されたテレビ信号をノート型コンピュータ１０に伝送し、再生することができる。
【０００４】
ノート型コンピュータ１０、ＴＶチューナカード１２、及びアンテナ装置１３が互いに
接続されると、図１に示されるように、アンテナ装置１３とノート型コンピュータ１０と
は、同一の又は異なる配置面つまりプラットフォームに配置される。さらに、無線信号の
受信能力を高めるため、アンテナ装置１３の延長アンテナ１３１を延ばす場合もある。ア
ンテナ装置１３を安定して設置するために、アンテナ装置１３の固定台１３０が配置面つ
まりプラットフォームに磁気的に固定される。しかしながら、アンテナ装置１３には依然
としていくつかの問題点がある。アンテナ装置１３の固定台１３０は配置面と密着できな
いことが多く、アンテナ装置１３の構造が不適切であるため、いくつかの問題点が生じる
可能性がある。例えば、アンテナ装置１３が振動や接触を受けると、すぐに重心がずれ、
延長アンテナ１３１が無線信号を受信する方向が変化する。また、アンテナ装置１３の固
定台１３０が配置面のかなりのスペースを取り、ノート型コンピュータ１０の操作の妨げ
となる。
【０００５】
最近、上記の問題を解決するためにいくつかのアンテナ装置が開示されている。それぞ
れ異なる配置面に合わせ、２つのアンテナ装置を図２Ａ及び図２Ｂを参照して説明する。
図２Ａは、吸着盤の付いた固定モジュール２４を有するアンテナ装置２０を示す概略斜視
図である。アンテナ本体２１は無線信号を受信するためのアンテナモジュール２２を有し
ている。アンテナ本体２１の底部には窪み（図示せず）が形成されており、その窪みに対
応する突起が固定モジュール２４に形成されている。固定モジュール２４をアンテナ本体
２１と結合するには、突起を窪みに差し込んでからアンテナ本体２１を９０度回転させる
必要がある。そして、固定モジュール２４の吸着盤が変形されて机等の平面に引き付けら
れる。図２Ｂは、２つの固定板が付いた可撓性のある固定モジュール２４０を有するアン
テナ装置２００を示す概略斜視図である。同様に、アンテナ本体２１の底部には窪み（図
示せず）が形成されており、その窪みに対応する突起が固定モジュール２４０に形成され
ている。固定モジュール２４０をアンテナ本体２１と結合するには、突起を窪みに差し込
んでからアンテナ本体２１を９０度回転させる必要がある。そして、可撓性のある固定モ
ジュール２４０の２つの固定板が柔軟に変形されると、２つの固定板は、例えばノート型
コンピュータのＬＣＤ画面の上縁をクランプできる。図２Ａ及び図２Ｂに示されるアンテ
ナ装置は台湾特許番号Ｍ３３５０２４に開示されており、その内容は参照することにより
ここに組み込まれる。
【０００６】
図２Ａの固定モジュールの吸着盤は配置面に固定され得るが、依然としていくつかの問
題点がある。例えば、当該アンテナ装置はノート型コンピュータから離れているため、ア
ンテナ装置が配置面のかなりのスペースを取り、ノート型コンピュータの操作の妨げとな
る。また、図２Ｂの固定モジュールにおける２つの固定板の間隙はあらかじめ定められて
いる。固定板の変形量は微小であるため、間隙は僅かしか調整できない。つまり、固定モ
ジュールの間隙が定まっているために、ノート型コンピュータの各種ＬＣＤ画面の多様な
厚みに対応することができない。従って、当該アンテナ装置はＬＣＤ画面に取り付けられ
ない場合がある。
【０００７】
そこで、先行技術が直面している問題点を避けるため、改良されたアンテナ装置を提供
する必要がある。
【発明の開示】
【発明が解決しようとする課題】
【０００８】
本発明は、アンテナ装置を物体に取り付けたり配置面に固定したりするために、変形可
能な固定部を有するアンテナ装置を提供する。
【課題を解決するための手段】
【０００９】
一実施形態において、本発明は、物体に着脱自在に取り付けられ、アンテナ本体と固定
モジュールとを含むアンテナ装置を提供する。アンテナ本体は表面を有する。当該表面に
は第１の連結部が形成されている。固定モジュールは第２の連結部と固定部とを含む。第
２の連結部は第１の連結部と連結可能である。固定部は可撓性があって変形可能である。
アンテナ装置を物体に取り付けられるように、物体を受けるための空間が上記表面と固定
部との間に形成される。
【００１０】
一実施形態において、本発明は、物体に着脱自在に取り付けられ、アンテナ本体と固定
モジュールとを含むアンテナ装置を提供する。固定モジュールは吊り下げスタンドと固定
部とを含む。吊り下げスタンドはアンテナ本体を入れるための受け部を有している。固定
部は可撓性があって変形可能である。アンテナ装置を物体に取り付けられるように、物体
を受けるための空間が吊り下げスタンドと固定部との間に形成される。
【００１１】
一実施形態において、本発明は、配置面に固定されるアンテナ装置を提供する。アンテ
ナ本体は底部に窪みが形成されている。固定モジュールは連結部と固定部とを含む。連結
部は２つの保持側壁と突起とを含む。突起は窪みと嵌合する。アンテナ本体は２つの保持
側壁で囲まれる。固定部は、変形されて配置面に引き付けられる可撓性の吸着盤を有する
。
【００１２】
本発明の上述の内容は、以下の詳細な説明及び添付図面を検討頂ければ、当業者にはよ
り容易に理解されるであろう。
【発明を実施するための最良の形態】
【００１３】
以下、実施形態に関して、本発明をより具体的に説明する。なお、本発明の好ましい実
施形態についての以下の説明は、あくまで例示を目的とするものであり、網羅的なもので
はなく、開示されたとおりの形態に限定することを意図したものではない。
【００１４】
図３Ａは、本発明の第１の実施形態に係るアンテナ装置を示す概略分解図である。図３
Ａに示されるように、アンテナ装置３０は主としてアンテナ本体３１及び固定モジュール
３４から成る。アンテナ本体３１は、第１のアンテナ部３２１と第２のアンテナ部３２２
とを含むアンテナモジュール３２を備えている。第１のアンテナ部３２１及び第２のアン
テナ部３２２はアンテナ本体３１の両側面３１１，３１２に枢動可能に取り付けられてい
る。固定モジュール３４はアンテナ本体３１に着脱自在に連結される。説明のため、図３
Ａでは、アンテナ本体３１と固定モジュール３４とが互いに分離されている状態を示して
いる。アンテナ本体３１の表面３１０には第１の連結部３３が形成されている。第１の連
結部３３に対応して、固定モジュール３４には第２の連結部３４１が形成されている。ま
た、固定モジュール３４は固定部３６を有する。第２の連結部３４１と第１の連結部３３
とが互いに嵌め合わされると、固定モジュール３４とアンテナ本体３１とが結合される。
本発明の主要な特徴によると、アンテナ装置３０を物体に取り付けられるように、当該物
体を入れるための空間が表面３１０と固定部３６との間に形成される。また、アンテナ装
置３０をしっかりと固定できるように、表面３１０と固定部３６との間に物体をクランプ
することもできる。
【００１５】
本発明のアンテナ装置３０は無線信号伝送インタフェースに適合させることができる。
つまり、アンテナ装置３０は、図１に示されるようなＴＶチューナカード１２の付いたノ
ート型コンピュータ１０に適用することができる。アンテナ装置３０は回路基板（図示せ
ず）と信号出力端子３５とをさらに備える。回路基板はアンテナ本体３１内に搭載される
。信号出力端子３５及びアンテナモジュール３２のアンテナ部３２１，３２２は回路基板
に電気的に接続される。信号出力端子３５が伝送インタフェース（例えば図１に示される
ようなＴＶチューナカード１２）に電気的に接続されると、アンテナ装置３０は無線信号
（例えば無線テレビ信号）を受信する機能を実行する。アンテナモジュール３２のアンテ
ナ部３２１，３２２によって受信された無線信号は回路基板によって処理され、その後、
処理された無線信号が信号出力端子３５を介して伝送インタフェースに伝送される。
【００１６】
図３Ｂは、図３Ａに示されたアンテナ装置３０の固定モジュール３４の概略斜視図であ
る。図３Ｃは、図３Ａに示されたアンテナ装置３０の固定モジュール３４の概略側面図で
ある。図３Ｂ及び３Ｃを参照頂きたい。固定モジュール３４の固定部３６は、２つの可撓
部３６１，３６２と２つのポスト３６３，３６４とを備えている。可撓部３６１，３６２
は、可撓性を有するため、柔軟に変形させることができる。可撓部３６１の一端は第２の
連結部３４１に結合され、他端はポスト３６３に結合されている。同様に、可撓部３６２
の一端は第２の連結部３４１に結合され、他端はポスト３６４に結合されている。固定部
３６は全体を可撓性材料で形成することが好ましい。あるいは、実施形態によっては、上
記２つの可撓部３６１，３６２のみが可撓性のある、つまり変形可能な材料で形成される
。伝動機構を通じて、可撓部３６１，３６２を動かすことによりポスト３６３，３６４間
の相対位置を調整することができる。
【００１７】
図３Ｄは、図３Ａに示される表面３１０に形成された第１の連結部３３の概略部分拡大
図である。第１の連結部３３と第２の連結部３４１とは相補的な形状を有している。第２
の連結部３４１と第１の連結部３３とを互いに嵌め合わせると、固定モジュール３４とア
ンテナ本体３１とが結合される。
【００１８】
図３Ａ，３Ｂ，３Ｃ及び３Ｄを参照頂きたい。第１の連結部３３の例はガイド溝である
。ガイド溝に対応して、第２の連結部３４１はガイドトラックである。アンテナ装置３０
を組み立てるには、まず、表面３１０に形成された第１の連結部３３の窪んだ入口に第２
の連結部３４１を入れ、その後、ガイドトラックとガイド溝を係合させて第２の連結部３
４１を第１の連結部３３に嵌め込む。図３Ｄに示されるように、窪んだ入口の上半分は下
半分より幅が狭くなっている。また、第２の連結部３４１と第１の連結部３３を互いに嵌
め合わせられるように、第１の連結部３３の内壁の幅及び奥行きは精巧に調整される。但
し、発明の教示を維持しながら様々な修正や変更を加えられることは、当業者であれば容
易に認められるであろう。例えば、実施形態によっては、第１の連結部３３の底部（又は
内側ケース）に凸部を形成し、対応する凹部を第２の連結部３４１に形成してもよい。凸
部が凹部に嵌まることにより、第１の連結部３３と第２の連結部３４１をよりしっかりと
嵌合させることができる。
【００１９】
図４Ａは、図３Ａに示されたアンテナ装置３０を組み立てた状態を示す概略図である。
図４Ｂは、図４Ａに示されるアンテナ装置３０の概略側面図である。図４Ａ及び４Ｂを参
照頂きたい。アンテナモジュール３２のアンテナ部３２１，３２２は、配置面つまりプラ
ットフォームに対して水平に広げられている。従来技術において説明された伸縮アンテナ
と同様に、アンテナモジュール３２のアンテナ部３２１，３２２も、無線信号の受信能力
を高めるために伸張することができる。電磁波理論に基づき、ダイポールアンテナ構造で
水平に配置されたこれら２つのアンテナ部は、無線信号の受信において優れた効果を有す
る。固定モジュール３４とアンテナ本体３１をアンテナ装置３０として結合させると、ア
ンテナ装置３０は物体に取り付けることが可能となる。
【００２０】
図４Ａ及び４Ｂを再度参照頂きたい。固定部３６の可撓部３６１，３６２は可撓性があ
り、変形可能であるため、ポスト３６３，３６４とアンテナ本体３１の表面３１０との間
隔を物体の厚みに合わせて調整できる。本実施形態では、可撓部３６１，３６２はホース
に似た可撓性を有している。可撓部３６１，３６２に外力が加わると、可撓部３６１，３
６２は変形され、それにより、ポスト３６３，３６４はその形状を維持しながら移動され
る。外力が取り除かれると、ポスト３６３，３６４はそれぞれ元の位置に戻る。固定部３
６の可撓部３６１，３６２が矢印の方向に柔軟に変形されると、固定モジュール３４の固
定部３６とアンテナ本体３１の表面３１０との間に物体がクランプされる。これにより、
アンテナ装置３０は物体にしっかりと取り付けられる。
【００２１】
物体は例えば液晶表示（ＬＣＤ）画面である。図５Ａ及び５Ｂはそれぞれ、アンテナ装
置３０がノート型コンピュータ１０のＬＣＤ画面の上縁に取り付けられた状態を示す概略
的な側面図及び斜視図である。ノート型コンピュータ１０のＬＣＤ画面の厚みに適合する
ように、可撓部３６１，３６２が変形される。具体的には、固定部３６とアンテナ本体３
１の表面３１０との間の空間がノート型コンピュータ１０のＬＣＤ画面を入れるのに十分
となるように、可撓部３６１，３６２の変形量はＬＣＤ画面の厚みより若干大きくなけれ
ばならない。ＬＣＤ画面の上縁がアンテナ装置３０によってクランプされるので、アンテ
ナ装置３０をＬＣＤ画面にしっかりと取り付けることができる。ＬＣＤ画面の別の位置に
アンテナ装置３０を取り付けるには、ユーザは、可撓部３６１，３６２に外力を加えてポ
スト３６３，３６４をＬＣＤ画面から離した後、アンテナ装置３０を引き抜く。次に、ア
ンテナ装置３０を上記手順によりＬＣＤ画面における所望の位置に取り付ける。上述した
ように、アンテナ装置３０はＬＣＤ画面の上縁に取り付けることができる。また、アンテ
ナ装置３０のクランプ間隔はＬＣＤ画面の厚みに応じて決まるので、アンテナ装置３０を
ＬＣＤ画面にしっかりと取り付けることが可能になる。
【００２２】
本発明の第１の実施形態においては、可撓部３６１，３６２が変形されると、ＬＣＤ画
面がポスト３６３，３６４とアンテナ本体３１の表面３１０との間にクランプされる。こ
のような構想に基づき、アンテナ装置３０の一部の部品を構造や外観において変更するこ
ともできる。例えば、固定部がゴムクランプとして機能するように、可撓部３６１，３６
２を可撓性と弾力性の両方を有するものにしてもよい。可撓部が弾性的に変形から回復す
ると、固定部のポストは物体（ノート型コンピュータのＬＣＤ画面等）に一層強く密着す
ることができる。また、ゴムクランプの固定部は２本のポストの代わりに固定板を１枚だ
け有するものであってもよく、この場合、ＬＣＤ画面の上縁は固定板とアンテナ本体の表
面との間に直接クランプされる。
【００２３】
図６Ａは、本発明の第２の実施形態に係るアンテナ装置を示す概略分解図である。図６
Ａに示されるように、アンテナ装置４０は主としてアンテナ本体４１と固定モジュール４
４とから構成される。アンテナ本体４１は、アンテナ部４２１，４２２を含むアンテナモ
ジュール４２を備えている。本実施形態に含まれるアンテナ部４２１，４２２及び信号出
力端子４５は図３Ａに示されるものと同様であり、ここでは重ねて説明しない。一方、固
定モジュール４４の構造、及び第１の連結部４３と第２の連結部４４１との連結構造は、
第１の実施形態と区別される。第１の連結部４３がアンテナ本体４１の表面４１０に形成
され、第１の連結部４３に対応する第２の連結部４４１が固定モジュール４４に形成され
る点は同様である。また、固定モジュール４４は固定部４６を有している。さらに、アン
テナ装置４０を物体に取り付けられるように、当該物体を入れるための空間が表面４１０
と固定部４６との間に形成される。アンテナ装置４０をしっかりと固定できるように、表
面４１０と固定部４６との間に物体をクランプするようにしてもよい。
【００２４】
図６Ｂは、図６Ａに示されたアンテナ装置４０の固定モジュール４４の概略側面図であ
る。固定モジュール４４の固定部４６は、可撓部４６１と固定板４６３とを備えている。
可撓部４６１は湾曲形状を有し、可撓性材料で形成されている。可撓部４６１は可撓性を
有しているため、柔軟に変形させることができる。可撓部４６１の一端は第２の連結部４
４１に結合されており、他端は固定板４６３につながっている。本実施形態においても、
第１の連結部４３と第２の連結部４４１とは相補的な形状を有している。本実施形態では
、第１の連結部４３と第２の連結部４４１はそれぞれメス金具とオス金具である。第２の
連結部４４１と第１の連結部４３を互いに嵌め合わせると、固定モジュール４４とアンテ
ナ本体４１が結合される。但し、発明の教示を維持しながら様々な修正や変更を加えられ
ることは、当業者であれば容易に認められるであろう。例えば、第１の連結部４３をオス
金具とし、第２の連結部４４１をメス金具としてもよい。
【００２５】
固定部４６の可撓部４６１は可撓性があり、変形可能であるため、固定板４６３とアン
テナ本体４１の表面４１０との間隔を物体の厚みに合わせて調整できる。固定部４６は、
全体を可撓性のある材料で形成することが好ましい。あるいは、可撓部４６１のみを可撓
性のある、つまり変形可能な材料で形成してもよい。伝動機構を通じて、可撓部４６１に
対する固定板４６３の位置を、可撓部４６１を動かすことによって調整することができる
。
【００２６】
図７Ａは、図６Ａに示されたアンテナ装置４０を組み立てた状態の概略図である。図７
Ｂは、図７Ａに示されるアンテナ装置４０の概略側面図である。図７Ａ及び７Ｂを参照頂
きたい。アンテナモジュール４２のアンテナ部４２１，４２２は、配置面つまりプラット
フォームに対して水平に広げられている。アンテナモジュール４２のアンテナ部４２１，
４２２は、ダイポールアンテナ構造で水平に配置されているため、無線信号の受信能力が
高い。固定モジュール４４とアンテナ本体４１をアンテナ装置４０として結合させると、
アンテナ装置４０は物体（ノート型コンピュータのＬＣＤ画面等）に取り付けることが可
能となる。
【００２７】
図７Ａ及び７Ｂを再度参照頂きたい。固定部４６の可撓部４６１は可撓性があり、変形
可能であるため、固定部４６の固定板４６３とアンテナ本体４１の表面４１０との間隔を
ＬＣＤ画面の厚みに合わせて調整できる。本実施形態では、可撓部４６１は弾力性をも有
している。可撓部４６１に外力が加わると、可撓部４６１は変形され、固定板４６３が移
動される。可撓部４６１が弾性的に変形から回復すると、固定部４６の固定板４６３はＬ
ＣＤ画面に一層強く密着することができる。つまり、固定部４６の可撓部４６１が矢印の
方向に柔軟に変形されると、固定モジュール４４の固定部４６とアンテナ本体４１の表面
４１０との間にＬＣＤ画面がクランプされる。これにより、アンテナ装置４０はＬＣＤ画
面にしっかりと取り付けられる。
【００２８】
図８は、アンテナ装置４０がノート型コンピュータ１０のＬＣＤ画面の上縁に取り付け
られた状態を示す概略側面図である。ノート型コンピュータ１０のＬＣＤ画面の厚みに応
じて、可撓部４６１が変形される。具体的には、固定部４６とアンテナ本体４１の表面４
１０との間の空間がノート型コンピュータ１０のＬＣＤ画面を入れるのに十分となるよう
に、可撓部４６１の変形量はＬＣＤ画面の厚みより若干大きくなければならない。ＬＣＤ
画面の上縁がアンテナ装置４０によってクランプされるので、アンテナ装置４０をノート
型コンピュータ１０のＬＣＤ画面にしっかりと取り付けることができる。アンテナ装置４
０も、上述した手順により、ＬＣＤ画面における別の位置に着脱自在に取り付けることが
できる。アンテナ装置をノート型コンピュータに取り付けた状態の斜視図は、図５Ｂに示
されたものと同様である。
【００２９】
上記２つの実施形態においては、１つ又は２つの可撓部を変形させることで、固定板又
は２本のポストとアンテナ本体の表面との間に物体をクランプする。さらに、これらの可
撓部は弾力性をも有するものであってもよい。可撓部が弾性的に変形から回復すると、ア
ンテナ装置は物体にしっかりと取り付けられる。本発明の第１及び第２の実施形態におい
て用いられる第１及び第２の連結部は、ガイド溝／ガイドトラック及びメス金具／オス金
具に限られない。例えば、第１の実施形態における第１及び第２の連結部をそれぞれメス
金具及びオス金具とし、第２の実施形態における第１及び第２の連結部をそれぞれガイド
溝及びガイドトラックとしてもよい。第１及び第２の連結部を互いに嵌め合わせると、固
定モジュールとアンテナ本体とが結合され、アンテナ装置が組み立てられる。固定モジュ
ールとアンテナ本体とを結合させる手段は、連結部をさらに修正することによって変更す
ることができる。
【００３０】
図９Ａは、本発明の第３の実施形態に係るアンテナ装置を示す概略分解図である。図９
Ａに示されるように、アンテナ装置５０は主としてアンテナ本体５１及び固定モジュール
５４から構成される。アンテナ本体５１はアンテナ部５２１，５２２を含むアンテナモジ
ュール５２を備えている。本実施形態に含まれるアンテナ部５２１，５２２及び信号出力
端子５５は図３Ａに示されたものと同様であるため、ここでは重ねて説明しない。固定モ
ジュール５４は固定部５６と吊り下げスタンド５８とを備える。固定部５６の構造は、図
３Ａに示された固定部３６と同様である。固定部５６も、２つの可撓部５６１，５６２及
び２本のポスト５６３，５６４を有している。一方、アンテナ本体５１には連結部が形成
されていない。固定モジュール５４の吊り下げスタンド５８は、アンテナ本体５１を入れ
るための受け部を有する。なお、受け部に入れた状態でも、アンテナ部５２１，５２２は
回転できる。本実施形態においても、アンテナ装置５０を物体に取り付けられるように、
当該物体を入れるための空間が吊り下げスタンド５８と固定部５６との間に形成される。
アンテナ装置５０をしっかりと固定できるように、吊り下げスタンド５８と固定部５６と
の間に物体をクランプすることもできる。
【００３１】
図９Ｂは、図９Ａに示されるアンテナ装置５０の固定モジュール５４の概略斜視図であ
る。図９Ｃは、図９Ａに示されるアンテナ装置５０の固定モジュール５４の概略側面図で
ある。図９Ｂ及び９Ｃを参照頂きたい。固定モジュール５４の固定部５６は、２つの可撓
部５６１，５６２及び２本のポスト５６３，５６４を備えている。可撓部５６１，５６２
は可撓性を有しているため、柔軟に変形させることができる。可撓部５６１の一端は吊り
下げスタンド５８に結合され、他端はポスト５６３に結合されている。同様に、可撓部５
６２の一端は吊り下げスタンド５８に結合され、他端はポスト５６４に結合されている。
【００３２】
図１０Ａは、図９Ａに示されたアンテナ装置５０を組み立てた状態の概略図である。図
１０Ｂは、図１０Ａに示されるアンテナ装置５０の概略側面図である。図１０Ａ及び１０
Ｂを参照頂きたい。アンテナモジュール５２のアンテナ部５２１，５２２は、ダイポール
アンテナ構造で水平に配置されているため、無線信号の受信能力が高い。固定モジュール
５４とアンテナ本体５１をアンテナ装置５０として結合させると、アンテナ装置５０は物
体（ノート型コンピュータのＬＣＤ画面等）に取り付けることが可能となる。
【００３３】
図１０Ａ及び１０Ｂを再度参照頂きたい。固定部５６の可撓部５６１，５６２は可撓性
があり、変形可能であるため、固定部５６の可撓部５６１，５６２と吊り下げスタンド５
８との間隔をＬＣＤ画面の厚みに合わせて調整できる。本実施形態では、可撓部５６１，
５６２は弾力性をも有している。可撓部５６１，５６２に外力が加わると、可撓部５６１
，５６２は変形され、ポスト５６３，５６４が移動される。可撓部５６１，５６２が弾性
的に変形から回復すると、固定部５６のポスト５６３，５６４はＬＣＤ画面に一層強く密
着することができる。つまり、固定部５６の可撓部５６１，５６２が矢印の方向に柔軟に
変形されると、固定モジュール５４の固定部５６と吊り下げスタンド５８との間にＬＣＤ
画面がクランプされる。これにより、アンテナ装置５０はＬＣＤ画面にしっかりと取り付
けられる。
【００３４】
図１１は、アンテナ装置５０がノート型コンピュータ１０のＬＣＤ画面の上縁に取り付
けられた状態を示す概略側面図である。ノート型コンピュータ１０のＬＣＤ画面の厚みに
応じて、可撓部５６１，５６２が変形される。具体的には、固定部５６と吊り下げスタン
ド５８との間の空間がノート型コンピュータ１０のＬＣＤ画面を受け入れるのに十分とな
るように、可撓部５６１，５６２の変形量はＬＣＤ画面の厚みより若干大きくなければな
らない。アンテナ装置５０も、上述した手順により、ＬＣＤ画面における別の位置に着脱
自在に取り付けることができる。アンテナ装置をノート型コンピュータに取り付けた状態
の斜視図は、図５Ｂに示されたものと同様である。
【００３５】
第３の実施形態においては、固定モジュールは、吊り下げスタンドと、第１の実施形態
と同様に２つの可撓部及び２本のポストを有する固定部とを備えている。さらに別の実施
形態においては、固定モジュールを、吊り下げスタンドと、第２の実施形態と同様に可撓
部及び固定板を有する固定部とを備えたものとし、ＬＣＤ画面の上縁を固定板とアンテナ
本体の表面との間に直接クランプするようにしてもよい。
【００３６】
図１２Ａは、本発明の第４の実施形態に係るアンテナ装置を示す概略分解図である。図
１２Ａに示されるように、アンテナ装置５００は、主としてアンテナ本体５１及び固定モ
ジュール５４０から成る。アンテナ本体５１は、アンテナ部５２１，５２２を含むアンテ
ナモジュール５２を備えている。第４の実施形態のアンテナ装置は、第２及び第３の実施
形態を基に変更を加えたものである。第４の実施形態の固定モジュール５４０においては
、第３の実施形態の固定部５６の代わりに第２の実施形態の固定モジュール４４の固定部
４６が用いられている。図１２Ｂは、図１２Ａに示されるアンテナ装置５００の固定モジ
ュール５４０の概略斜視図である。図１２Ｃは、図１２Ａに示されるアンテナ装置５００
の固定モジュール５４０の概略側面図である。図１２Ｂ及び１２Ｃを参照頂きたい。本実
施形態においても、固定モジュール５４０の吊り下げスタンド５８は、アンテナ本体５１
を入れるための受け部を有している。固定モジュール５４の固定部４６は、可撓部４６１
及び固定板４６３から構成される。可撓部４６１の一端は固定板４６３につながっている
。可撓部４６１の他端は、吊り下げスタンド５８の背面の上縁に結合されている。第３及
び第４の実施形態においては、固定部は吊り下げスタンドの背面に配置される。固定部は
吊り下げスタンドと一体に形成されることが好ましい。
【００３７】
図１３Ａは、図１２Ａに示されたアンテナ装置５００を組み立てた状態の概略図である
。図１３Ｂは、図１３Ａに示されるアンテナ装置５００の概略側面図である。図１３Ａ及
び１３Ｂを参照頂きたい。図１４は、アンテナ装置５００をノート型コンピュータ１０の
ＬＣＤ画面の上縁に取り付けた状態を示す概略側面図である。
【００３８】
第３及び第４の実施形態においては、吊り下げスタンドはアンテナ本体を入れるための
受け部を有する。吊り下げスタンドの受け部がアンテナ本体を入れるのに効果的なもので
ありさえすれば、吊り下げスタンドの形状は特に限定されない。
【００３９】
上記４つの実施形態においては、アンテナ装置はノート型コンピュータのＬＣＤ画面の
上縁に取り付けられる。様々な要求に応じるため、本発明のアンテナ装置は、一般的な机
や平面上に配置される目的で更なる変更を加えることもできる。
【００４０】
図１５Ａは、本発明の第５の実施形態に係るアンテナ装置を示す概略分解図である。図
１５Ａに示されるように、アンテナ装置６０は主としてアンテナ本体６１及び固定モジュ
ール６４から成る。アンテナ本体６１は、アンテナ部６２１，６２２を含むアンテナモジ
ュール６２を備えている。本実施形態に含まれるアンテナ部６２１，６２２及び信号出力
端子６５は、上記４つの実施形態において説明されたものと同様であり、ここでは重ねて
説明しない。図１５Ｂは、図１５Ａに示されるアンテナ装置６０の固定モジュール６４の
概略斜視図である。図１５Ｃは、図１５Ａに示されるアンテナ装置６０のアンテナ本体６
１の底面を概略的に示す図である。本実施形態においては、アンテナ本体６１の底部６０
０に窪み６０１が形成されている。具体的には、窪み６０１は、他の構成要素を用いるこ
となく、ドリルで穴を開けることによりアンテナ本体６１の底部６００に形成される。ま
た、固定モジュール６４の固定部６６は、変形されて配置面つまりプラットフォームに引
き付けられる可撓性の吸着盤である。
【００４１】
図１５Ａ，１５Ｂ，及び１５Ｃを再度参照頂きたい。固定モジュール６４は連結部６４
１を有している。窪み６０１に対応して、連結部６４１は突起６４１１を有しており、こ
の突起は、２つの保持側壁６４１２，６４１３の間に形成される細長い溝６４１０内に設
けられている。突起６４１１と窪み６０１を互いに嵌め合わせると、固定モジュール６４
とアンテナ本体６１とが結合される。さらに、保持側壁６４１２，６４１３はアンテナ本
体６１の下縁を囲むことができるため、固定モジュール６４とアンテナ本体６１がしっか
りと結合される。
【００４２】
図１６Ａは、図１５Ａに示されたアンテナ装置６０を組み立てた状態を示す概略図であ
る。固定モジュール６４は、上述の各実施形態において説明したようなアンテナ本体に適
合させることができる。アンテナ装置を配置面つまりプラットフォームに配置するには、
ユーザはまず、吊り下げ型又はクランプ型の固定モジュールをＬＣＤ画面の上縁から取り
外し、その後、アンテナ本体を固定モジュール６４と結合させる。固定モジュール６４の
固定部６６は、可撓性の吸着盤であるため、変形されて配置面つまりプラットフォームに
引き付けられる。図１６Ｂは、アンテナ装置６０を机面に配置した状態を示す概略斜視図
である。
【００４３】
上述したように、本発明のアンテナ装置は、実際の要求に応じて、物体に取り付けたり
配置面に固定したりすることができる。本発明のアンテナ装置は、ノート型コンピュータ
のＬＣＤ画面の上縁にしっかりと取り付けることができる。また、アンテナ装置の配置を
変更する手順やアンテナ装置をＬＣＤ画面から取り外す手順は極めて簡単で便利である。
さらに、一般的な机や平面に固定される固定モジュールは費用効果の高い材料で形成され
るため、無線信号の受信能力を損なうことなく、アンテナ本体及び固定モジュールの費用
の両方が削減される。
【００４４】
本発明は、現時点で最も実用的かつ好ましいと考えられる実施形態に関して説明したが
、本発明は、開示した実施形態に限定されるものではなく、請求項の要旨と範囲に含まれ
る様々な変形や類似の構成を、そのような全ての変形と類似の構造を含む最も広い解釈に
従って、カバーするものであることを意図する。
【図面の簡単な説明】
【００４５】
【図１】ノート型コンピュータ１０、ＴＶチューナカード１２、及びアンテナ装置１３間の接続を示す概略斜視図。
【図２Ａ】吸着盤付きの固定モジュール２４を有するアンテナ装置２０を示す概略斜視図。
【図２Ｂ】２つの固定板の付いた可撓性のある固定モジュール２４０を有するアンテナ装置２００を示す概略斜視図。
【図３Ａ】本発明の第１の実施形態に係るアンテナ装置を示す概略分解図。
【図３Ｂ】図３Ａに示されるアンテナ装置３０の固定モジュール３４の概略斜視図。
【図３Ｃ】図３Ａに示されるアンテナ装置３０の固定モジュール３４の概略側面図。
【図３Ｄ】図３Ａに示される表面３１０に形成された第１の連結部３３の概略部分拡大図。
【図４Ａ】図３Ａに示されるアンテナ装置３０を組み立てた状態の概略図。
【図４Ｂ】図４Ａに示されるアンテナ装置３０の概略側面図。
【図５Ａ】ノート型コンピュータ１０のＬＣＤ画面の上縁に取り付けられたアンテナ装置３０を示す概略側面図。
【図５Ｂ】ノート型コンピュータ１０のＬＣＤ画面の上縁に取り付けられたアンテナ装置３０を示す概略斜視図。
【図６Ａ】本発明の第２の実施形態に係るアンテナ装置を示す概略分解図。
【図６Ｂ】図６Ａに示されるアンテナ装置４０の固定モジュール４４の概略側面図。
【図７Ａ】図６Ａに示されるアンテナ装置４０を組み立てた状態の概略図。
【図７Ｂ】図７Ａに示されるアンテナ装置４０の概略側面図。
【図８】ノート型コンピュータ１０のＬＣＤ画面の上縁に取り付けられたアンテナ装置４０を示す概略側面図。
【図９Ａ】本発明の第３の実施形態に係るアンテナ装置を示す概略分解図。
【図９Ｂ】図９Ａに示されるアンテナ装置５０の固定モジュール５４の概略斜視図。
【図９Ｃ】図９Ａに示されるアンテナ装置５０の固定モジュール５４の概略側面図。
【図１０Ａ】図９Ａに示されるアンテナ装置５０を組み立てた状態の概略図。
【図１０Ｂ】図１０Ａに示されるアンテナ装置５０の概略側面図。
【図１１】ノート型コンピュータ１０のＬＣＤ画面の上縁に取り付けられたアンテナ装置５０を示す概略側面図。
【図１２Ａ】本発明の第４の実施形態に係るアンテナ装置を示す概略分解図。
【図１２Ｂ】図１２Ａに示されるアンテナ装置５００の固定モジュール５４０の概略斜視図。
【図１２Ｃ】図１２Ａに示されるアンテナ装置５００の固定モジュール５４０の概略側面図。
【図１３Ａ】図１２Ａに示されるアンテナ装置５００を組み立てた状態の概略図。
【図１３Ｂ】図１３Ａに示されるアンテナ装置５００の概略側面図。
【図１４】ノート型コンピュータ１０のＬＣＤ画面の上縁に取り付けられたアンテナ装置５００を示す概略側面図。
【図１５Ａ】本発明の第５の実施形態に係るアンテナ装置を示す概略分解図。
【図１５Ｂ】図１５Ａに示されるアンテナ装置６０の固定モジュール６４の概略斜視図。
【図１５Ｃ】図１５Ａに示されるアンテナ装置６０のアンテナ本体６１の底面を概略的に示す図。
【図１６Ａ】図１５Ａに示されるアンテナ装置６０を組み立てた状態の概略図。
【図１６Ｂ】机面に設置されたアンテナ装置６０を示す概略斜視図。
【符号の説明】
【００４６】
３０  アンテナ装置
３１  アンテナ本体
３２  アンテナモジュール
３３  第１の連結部
３４  固定モジュール
３５  信号出力端子
３６  固定部
４３  第１の連結部
４４  固定モジュール
４６  固定部
５８  吊り下げスタンド
６４  固定モジュール
６６  固定部
３１０  表面
３１１，３１２  側面
３２１，３２２  アンテナ部
３４１  第２の連結部
３６１，３６２  可撓部
３６３，３６４  ポスト
４４１  第２の連結部
４６１  可撓部
４６３  固定板
６４１  連結部
６００  底部
６０１  窪み
６４１１  突起
６４１２，６４１３  保持側壁
【図１】
2010045756.tif 000003
【図２Ａ】
2010045756.tif 000004
【図２Ｂ】
2010045756.tif 000005
【図３Ａ】
2010045756.tif 000006
【図３Ｂ】
2010045756.tif 000007
【図３Ｃ】
2010045756.tif 000008
【図３Ｄ】
2010045756.tif 000009
【図４Ａ】
2010045756.tif 000010
【図４Ｂ】
2010045756.tif 000011
【図５Ａ】
2010045756.tif 000012
【図５Ｂ】
2010045756.tif 000013
【図６Ａ】
2010045756.tif 000014
【図６Ｂ】
2010045756.tif 000015
【図７Ａ】
2010045756.tif 000016
【図７Ｂ】
2010045756.tif 000017
【図８】
2010045756.tif 000018
【図９Ａ】
2010045756.tif 000019
【図９Ｂ】
2010045756.tif 000020
【図９Ｃ】
2010045756.tif 000021
【図１０Ａ】
2010045756.tif 000022
【図１０Ｂ】
2010045756.tif 000023
【図１１】
2010045756.tif 000024
【図１２Ａ】
2010045756.tif 000025
【図１２Ｂ】
2010045756.tif 000026
【図１２Ｃ】
2010045756.tif 000027
【図１３Ａ】
2010045756.tif 000028
【図１３Ｂ】
2010045756.tif 000029
【図１４】
2010045756.tif 000030
【図１５Ａ】
2010045756.tif 000031
【図１５Ｂ】
2010045756.tif 000032
【図１５Ｃ】
2010045756.tif 000033
【図１６Ａ】
2010045756.tif 000034
【図１６Ｂ】
2010045756.tif 000035